(57)【要約】【課題】複数の操作部を用いることにより、安定した運用を容易にする画像処理装置を提供する。【解決手段】画像処理装置では、本体部１に複数種類の操作部２が択一的に接続可能である。操作部２は、本体部１に接続されたときに操作部２の種類を識別するための識別情報を入力し、本体部１は、操作部２の種類に予め関連付けられた処理を実行することが可能で、関連付けられていない処理を実行しないように設定する。使用者が用いる操作部２の種類によって、画像処理装置が実行する処理の内容が限定される。管理者又はサービスマン等は専用の操作部２を用いてネットワーク設定等の特別な処理を画像処理装置に実行させる。一般ユーザ用の操作部２を用いる一般ユーザは、特別な処理を画像処理装置に実行させることはできない。【選択図】図２
2013070276.tif 000002
【特許請求の範囲】
【請求項１】
画像処理を含む複数種類の処理を実行することが可能な処理手段を有する本体部と、該本体部とは別体であり、前記処理に対応する操作を受け付ける操作部とを備える画像処理装置において、
前記操作部を複数備え、
前記操作部は、
複数の前記操作部の夫々を識別するための識別情報を前記本体部へ入力する入力手段を有し、
前記本体部は、
前記複数種類の処理の内の一部又は全部の処理を複数の前記操作部の夫々に関連付けてある関連付け手段と、
入力された識別情報により識別される前記操作部に前記関連付け手段で関連付けられてある処理を実行するように前記処理手段を制御する制御手段と
を有することを特徴とする画像処理装置。
【請求項２】
前記操作部及び前記本体部は、
複数の前記操作部が択一的に前記本体部に接続される構成となっており、
前記入力手段は、
前記操作部が前記本体部に接続された場合に前記識別情報を入力する構成としてあり、
前記制御手段は、
前記処理手段の状態を、入力された識別情報により識別される前記操作部に前記関連付け手段で関連付けられてある処理を実行することが可能な状態であって、前記操作部に前記関連付け手段で関連付けられていない処理を実行しない状態に制御する手段を有すること
を特徴とする請求項１に記載の画像処理装置。
【請求項３】
前記操作部は、
受け付けた操作を示す操作情報を前記本体部へ送信する手段を有し、
前記本体部は、
複数の前記操作部との間で情報の送受信を行う送受信手段を有し、
前記制御手段は、
前記操作部から受信した操作情報が示す操作が対応する処理の内、入力された識別情報により識別される前記操作部に前記関連付け手段で関連付けられてある処理を前記処理手段に実行させ、前記操作部に前記関連付け手段で関連付けられていない処理を前記処理手段に実行させない手段を有すること
を特徴とする請求項１に記載の画像処理装置。
【請求項４】
前記操作部は、
操作に関する画像を表示する表示部を有し、
前記本体部は、
前記表示部が表示する画像の内容を規定した画像情報を記憶している手段と、
該手段が記憶している画像情報の内、入力された識別情報により識別される前記操作部に前記関連付け手段で関連付けられてある処理に対応する操作に関する内容を含んでおり、前記操作部に前記関連付け手段で関連付けられていない処理に対応する操作に関する内容を含まないように画像の内容を規定した画像情報を、前記送受信手段に前記操作部へ送信させる手段を有し、
前記操作部は、更に、
前記本体部から受信した画面情報に基づいた内容の画像を前記表示部に表示させる手段を有すること
を特徴とする請求項３に記載の画像処理装置。
【発明の詳細な説明】
【技術分野】
【０００１】
本発明は、使用者からの操作を受け付ける複数種類の操作部を備える画像処理装置に関する。
【背景技術】
【０００２】
現在、複写等の画像処理を行う画像処理装置が広く普及している。特に、プリント機能、スキャナ機能、ファクシミリ機能、及び画像データの蓄積機能等の多数の機能を備えた所謂複合機と呼ばれる画像処理装置が利用されている。画像処理装置は、タッチパネル等を用いた操作部を備え、各種の処理に対応する使用者からの操作を受け付ける構成となっている。特許文献１には、着脱可能な操作部を備える画像処理装置が記載されている。また特許文献２には、複数の操作部を使用可能な画像処理装置が記載されている。
【０００３】
多数の機能を備えた画像処理装置は、事業所等で複数の使用者によって使用されることがある。このような環境では、ネットワーク設定等の各種の設定を自由に変更可能にした場合は、複数の使用者によって設定が頻繁に変更され、画像処理装置の利便性が悪化する虞がある。そこで、特定の管理者のみが設定の変更をできるようにすることが行われる。例えば、管理者用のパスワードを設定しておき、管理者が操作部にパスワードを入力した場合に、画像処理装置の設定の変更が可能となる。
【０００４】
また、画像処理装置は、実行できる機能の変更、又はプリント枚数のリセット等、使用者が利用できない特殊な機能を備えている。通常、このような特殊な機能は保守サービスを行うサービスマンによって利用される。例えば、予めサービスマン用のパスワードが設定されており、サービスマンが操作部にパスワードを入力した場合に、画像処理装置で特殊な機能が実行可能となる。また例えば、通常は行われることのない特殊な操作が予め設定されており、サービスマンが操作部で特殊な操作を行った場合に特殊な機能が利用可能となる。
【先行技術文献】
【特許文献】
【０００５】
【特許文献１】特開２００２−１０３７４８号公報
【特許文献２】特開２０１０−２４３７３３号公報
【発明の概要】
【発明が解決しようとする課題】
【０００６】
パスワード又は特殊な操作を用いて画像処理装置の機能を制限する技術では、パスワード又は特殊な操作の内容が漏えいする危険がある。パスワード又は特殊な操作の内容が漏えいした場合、一般の使用者による設定の自由な変更又は不正な使用等の不適切な使用が可能となり、安定した画像処理装置の運用ができなくなる。このため、パスワード又は特殊な操作の内容の漏えいを防止する必要があり、画像処理装置の運用が困難となる。
【０００７】
本発明は、斯かる事情に鑑みてなされたものであって、その目的とするところは、複数の操作部を用いることにより、安定した運用を容易にする画像処理装置を提供することにある。
【課題を解決するための手段】
【０００８】
本発明に係る画像処理装置は、画像処理を含む複数種類の処理を実行することが可能な処理手段を有する本体部と、該本体部とは別体であり、前記処理に対応する操作を受け付ける操作部とを備える画像処理装置において、前記操作部を複数備え、前記操作部は、複数の前記操作部の夫々を識別するための識別情報を前記本体部へ入力する入力手段を有し、前記本体部は、前記複数種類の処理の内の一部又は全部の処理を複数の前記操作部の夫々に関連付けてある関連付け手段と、入力された識別情報により識別される前記操作部に前記関連付け手段で関連付けられてある処理を実行するように前記処理手段を制御する制御手段とを有することを特徴とする。
【０００９】
本発明においては、画像処理装置は本体部と複数の操作部とを備え、操作部は識別情報を本体部へ入力し、画像処理装置は、複数種類の処理の内で操作部に予め関連付けられた処理を実行する。使用者が用いる操作部の区別によって、画像処理装置が実行する処理の内容が限定される。
【００１０】
本発明に係る画像処理装置は、前記操作部及び前記本体部は、複数の前記操作部が択一的に前記本体部に接続される構成となっており、前記入力手段は、前記操作部が前記本体部に接続された場合に前記識別情報を入力する構成としてあり、前記制御手段は、前記処理手段の状態を、入力された識別情報により識別される前記操作部に前記関連付け手段で関連付けられてある処理を実行することが可能な状態であって、前記操作部に前記関連付け手段で関連付けられていない処理を実行しない状態に制御する手段を有することを特徴とする。
【００１１】
本発明においては、本体部に複数の操作部が択一的に接続可能であり、操作部は接続時に識別情報を本体部へ入力し、本体部は、操作部に予め関連付けられた処理を実行することが可能であり、関連付けられていない処理を実行しない状態になる。本体部に接続される操作部の区別によって、画像処理装置が実行できる処理の内容が限定される。
【００１２】
本発明に係る画像処理装置は、前記操作部は、受け付けた操作を示す操作情報を前記本体部へ送信する手段を有し、前記本体部は、複数の前記操作部との間で情報の送受信を行う送受信手段を有し、前記制御手段は、前記操作部から受信した操作情報が示す操作が対応する処理の内、入力された識別情報により識別される前記操作部に前記関連付け手段で関連付けられてある処理を前記処理手段に実行させ、前記操作部に前記関連付け手段で関連付けられていない処理を前記処理手段に実行させない手段を有することを特徴とする。
【００１３】
本発明においては、本体部と複数の操作部とが通信可能である。画像処理装置は、操作部が受け付けた操作が対応する処理の内、操作部に予め関連付けられている処理を実行し、操作部に関連付けられていない処理を実行しない。操作を受け付けた操作部の区別によって、操作に対応する処理の実行が制限される。
【００１４】
本発明に係る画像処理装置は、前記操作部は、操作に関する画像を表示する表示部を有し、前記本体部は、前記表示部が表示する画像の内容を規定した画像情報を記憶している手段と、該手段が記憶している画像情報の内、入力された識別情報により識別される前記操作部に前記関連付け手段で関連付けられてある処理に対応する操作に関する内容を含んでおり、前記操作部に前記関連付け手段で関連付けられていない処理に対応する操作に関する内容を含まないように画像の内容を規定した画像情報を、前記送受信手段に前記操作部へ送信させる手段を有し、前記操作部は、更に、前記本体部から受信した画面情報に基づいた内容の画像を前記表示部に表示させる手段を有することを特徴とする。
【００１５】
本発明においては、本体部は操作部に応じた画像情報を送信し、操作部は画像情報に基づいた画像を表示部に表示する。操作部の表示部には、操作部の区別によって制限された処理に対応する操作のための画像が表示され、使用者は表示部に表示された画像を視認しながら操作部を操作する。操作部の区別によって、操作部で受け付ける操作が制限される。
【発明の効果】
【００１６】
本発明にあっては、一般ユーザ用の操作部を使用する一般ユーザは、専用の操作部を使用するサービスマン等が利用する特別な機能を利用することができないので、使用者による画像処理装置の不適切な使用が不可能になる。従って、安定した画像処理装置の運用を容易に行うことができる等、本発明は優れた効果を奏する。
【図面の簡単な説明】
【００１７】
【図１】実施の形態１に係る画像処理装置を示す模式図である。
【図２】実施の形態１に係る画像処理装置を示す模式図である。
【図３】実施の形態１に係る画像処理装置の内部の機能構成を示すブロック図である。
【図４】識別テーブルの内容例を示す概念図である。
【図５】管理テーブルの内容例を示す概念図である。
【図６】操作部が本体部に装着されたときに実施の形態１に係る画像処理装置が実行する処理の手順を示すフローチャートである。
【図７】実施の形態２に係る画像処理装置を示す模式図である。
【図８】実施の形態２に係る画像処理装置の内部の機能構成を示すブロック図である。
【図９】実施の形態２に係る画像処理装置が実行する処理の手順を示すフローチャートである。
【図１０】実施の形態２に係る画像処理装置が実行する処理の手順を示すフローチャートである。
【発明を実施するための形態】
【００１８】
以下本発明をその実施の形態を示す図面に基づき具体的に説明する。
（実施の形態１）
図１及び図２は、実施の形態１に係る画像処理装置を示す模式図である。画像処理装置は、プリント機能及びスキャナ機能等の画像処理装置としての機能を備える本体部１と、使用者の操作を受け付ける操作部２とからなる。操作部２は、本体部１とは別体であって、本体部１に対して着脱可能であり、本体部１に装着された状態で操作を受け付ける。また、複数種類の操作部２が存在しており、図２に示すように、複数種類の操作部２は交換可能である。即ち、一の操作部２を本体部１から離脱させ、他の操作部２を本体部１に装着させることができる。複数の操作部２の内、本体部１に装着できる操作部２は一つだけである。本体部１から離脱した操作部２は、操作を受け付けることはできない。
【００１９】
複数種類の操作部２の夫々は、使用者が互いに異なる。例えば、一般ユーザは一般ユーザ用の操作部２を用い、画像処理装置の管理者は管理者用の操作部２を用い、保守サービスを行うサービスマンはサービスマン用の操作部２を用い、画像処理装置の開発者は開発者用の操作部２を用いる。通常の状態では、本体部１に一般ユーザ用の操作部２が装着されており、一般ユーザは、操作部２を操作することで画像処理装置を使用する。管理者が画像処理装置を使用する場合は、一般ユーザ用の操作部２を離脱させ、管理者用の操作部２を装着させ、管理者が操作部２を操作する。なお、同じ種類の操作部２が複数個存在していてもよい。また、複数種類の操作部２は、互いに形状が同一であってもよく、異なっていてもよい。
【００２０】
図３は、実施の形態１に係る画像処理装置の内部の機能構成を示すブロック図である。本体部１は、画像処理装置の動作を制御する制御部１１を備えている。制御部１１は、画像処理装置を制御するための演算を行う演算部と、演算に必要なプログラム及び一時的なデータを記憶するメモリとを含んで構成されている。制御部１１には、不揮発性のメモリ又はハードディスクからなる記憶部１２と、操作部２が装着されるための装着コネクタ１３が接続されている。また、本体部１は、原稿から光学的に画像を読み取る画像読取部１４と、電子写真方式又はインクジェット方式等で画像を形成する画像形成部１５と、外部との通信を行う通信部１６と、画像データを記憶するハードディスクでなる画像記憶部１７とを備えている。画像読取部１４、画像形成部１５、通信部１６及び画像記憶部１７は、本発明における処理手段に含まれる。また、制御部１１は、各部の動作設定の処理を行う。制御部１１は、本発明における処理手段及び制御手段としての動作を実行する。画像処理装置は、画像の複写、ファクシミリ通信、画像データに基づいた画像形成、画像データの蓄積及び各種の設定等の複数種類の処理を実行する。
【００２１】
操作部２は、操作部２の動作を制御する制御部２１を備えている。制御部２１には、不揮発性のメモリからなる記憶部２２と、本体部１に操作部２が装着するための装着コネクタ２３とが接続されている。また操作部２は、液晶パネル等の表示部２４と、タッチパネル又はテンキー等を用いた受付部２５を備えている。表示部２４は、操作メニュー画像等、使用者が操作を行うために必要な画像を表示する。使用者は、表示部２４に表示された画像を見ながら受付部２５を操作し、受付部２５は、画像処理の開始指示を入力する操作等の各種の操作を受け付ける。装着コネクタ２３は、操作部２が本体部１に装着される場合に装着コネクタ１３に接続される。装着コネクタ１３及び装着コネクタ２３は、操作部２が本体部１に装着された状態で、本体部１と操作部２との間でデータを送受信する。記憶部２２は、操作部２の種類を識別するための識別情報を記憶している。種類の異なる操作部２間では、識別情報の内容が互いに異なる。例えば、一般ユーザ用の操作部２と、管理者用の操作部２と、サービスマン用の操作部２と、開発者用の操作部２とは、互いに異なる識別情報を記憶部２２で記憶している。なお、操作部２は表示部２４を備えていない形態であってもよい。
【００２２】
本体部１の記憶部１２は、複数種類の操作部２の夫々の識別情報と操作部２の種類とを関連付けた識別テーブルを記憶している。図４は、識別テーブルの内容例を示す概念図である。識別テーブルには、識別情報と操作部２の種類とが互いに関連付けて記録されている。図４の例では、Ａ〜Ｄの四種類の識別情報の夫々に対して、操作部２の種類が関連付けられている。例えば、一般ユーザ用の操作部２の記憶部２２は、「Ａ」という識別情報を記憶している。また、本体部１に装着されている操作部２から送信されて装着コネクタ１３で受信した識別情報が「Ａ」である場合は、装着している操作部２は一般ユーザ用の操作部２であると識別される。なお、一つの種類に対応する識別情報が複数あってもよい。
【００２３】
また本体部１の記憶部１２は、操作部２の種類と、本体部１で実行することが可能な処理とを関連付けて記録した管理テーブルを記憶している。図５は、管理テーブルの内容例を示す概念図である。図５中の丸印は、操作部２の種類に、夫々の処理が実行可能な処理として関連付けられていることを示し、×の印は、夫々の処理が実行可能な処理として関連付けられていないことを示す。画像処理装置の処理として、プリントの枚数等を設定するプリント設定の処理と、ネットワークアドレス等を設定するネットワーク設定の処理と、記録されたプリント枚数のリセットの処理と、画像記憶部１７に記憶されたデータを書き換える処理とが例示されている。図５の例では、操作部２の内、一般ユーザ用の操作部２には、実行可能な処理としてプリント設定の処理が関連付けられており、他の処理は関連付けられていない。また、管理者用の操作部２には、プリント設定の処理とネットワーク設定の処理とが実行可能な処理として関連付けられている。サービスマン用の操作部２には、プリント設定の処理とネットワーク設定の処理とプリント枚数のリセットの処理とが実行可能な処理として関連付けられており、開発者用の操作部２には、全ての処理が実行可能な処理として関連付けられている。なお、図５に示した処理内容は一例であり、画像処理装置が実行できるその他の処理も、操作部２の種類に関連付けられている。即ち、管理テーブルには、操作部２の種類と、その他の処理の内で実行可能な処理とが関連付けて記録されている。識別テーブル及び管理テーブルを記憶していることにより、記憶部１２は本発明における関連付け手段として機能する。
【００２４】
図６は、操作部２が本体部１に装着されたときに実施の形態１に係る画像処理装置が実行する処理の手順を示すフローチャートである。操作部２が本体部１に装着された場合、本体部１の制御部１１及び操作部２の制御部２１は、本体部１と操作部２との間でデータの送受信を行うための接続の処理を行う（Ｓ１１）。操作部２の制御部２１は、次に、記憶部２２から識別情報を読み出して装着コネクタ２３から本体部１へ送信し、本体部１は、装着コネクタ１３で操作部２からの識別情報を受信する（Ｓ１２）。操作部２の制御部２１及び装着コネクタ２３は、本発明における入力手段に対応する。
【００２５】
本体部１の制御部１１は、次に、記憶部１２で記憶している識別テーブルを参照し、受信した識別情報が識別テーブルに記録されているか否かを判定する（Ｓ１３）。受信した識別情報が識別テーブルに記録されていない場合は（Ｓ１３：ＮＯ）、制御部１１は、エラー処理を行い（Ｓ１４）、処理を終了する。ステップＳ１４では、例えば、制御部１１は、画像処理装置が各種の処理を実行できないように設定し、画像処理装置が各種の処理を実行できないことを示すエラーのメッセージを表示部２４に表示させるためのエラー用のデータを、装着コネクタ１３から操作部２へ送信する。操作部２は、エラー用のデータを装着コネクタ２３で受信し、制御部２１は、エラー用のデータに基づいて表示部２４にエラーのメッセージを表示させる。
【００２６】
ステップＳ１３で、受信した識別情報が識別テーブルに記録されている場合は（Ｓ１３：ＹＥＳ）、制御部１１は、識別テーブルに記録された識別情報に関連付けられた操作部２の種類を特定する。制御部１１は、次に、記憶部１２で記憶している管理テーブルを参照し、操作部２の種類に関連付けられた処理内容を実行することが可能になるように、画像処理装置で実行することが可能な処理の内容を設定する（Ｓ１５）。ステップＳ１５では、制御部１１は、特定された操作部２の種類に管理テーブルで関連付けられている処理を画像処理装置で実行可能に設定する。また、制御部１１は、管理テーブルで操作部２の種類に関連付けられていない処理の実行を禁止する設定を行う。例えば、制御部１１は、管理テーブルで操作部２の種類に関連付けられていない処理を実行するために必要なハードウェア及びソフトウェアへのアクセスを禁止する。ステップＳ１５での処理により、画像処理装置は、操作部２の種類に関連付けられた処理を実行することが可能で、操作部２の種類に関連付けられていない処理を実行しない状態に制御される。
【００２７】
図５の例では、一般ユーザ用の操作部２が本体部１に装着された場合は、プリント設定の処理が実行可能に設定され、ネットワーク設定、プリント枚数のリセット及びデータの書き換えの処理は実行できないように設定される。また、管理者用の操作部２が本体部１に装着された場合は、プリント設定及びネットワーク設定の処理が実行可能に設定され、プリント枚数のリセット及びデータの書き換えの処理は実行が禁止される。また、サービスマン用の操作部２が本体部１に装着された場合は、プリント設定、ネットワーク設定及びプリント枚数のリセットの処理が実行可能に設定され、データの書き換えの処理は実行が禁止される。また、開発者用の操作部２が本体部１に装着された場合は、全ての処理が実行可能に設定される。
【００２８】
ステップＳ１５が終了した後は、制御部１１は、操作部２が本体部１に装着された際の処理を終了する。以後、画像処理装置は、必要に応じて、画像処理を含む複数種類の処理の内、実行可能に設定された処理を実行する。操作部２が本体部１に装着される都度、画像処理装置は、ステップＳ１１〜Ｓ１５の処理を実行する。
【００２９】
以上詳述した如く、本実施の形態の画像処理装置では、本体部１に複数種類の操作部２が択一的に装着可能であり、画像処理装置は、本体部１に装着された操作部２の種類に応じた処理を実行する。操作部２は、本体部１に装着されたときに識別情報を送信し、本体部１は、操作部２の種類に予め関連付けられた処理を実行可能に設定し、関連付けられていない処理を実行不能に設定する。例えば、管理者が利用する処理の内容を、管理者用の操作部２に関連付けておき、一般ユーザ用の操作部２には関連付けないようにしておく。管理者は、管理者用の操作部２を使用することで、ネットワーク設定等の管理者用の処理を画像処理装置に実行させることができる。一般ユーザは、一般ユーザ用の操作部２を使用するので、ネットワーク設定等の管理者用の処理を画像処理装置に実行させることはできない。同様に、サービスマンはサービスマン用の操作部２を使用してサービスマン用の処理を画像処理装置に実行させる一方で、一般ユーザはサービスマン用の処理を画像処理装置に実行させることはできない。また同様に、一般ユーザは開発者用の処理を画像処理装置に実行させることはできない。
【００３０】
一般ユーザは、管理者又はサービスマン等が利用する特別な機能を利用することができないので、一般ユーザによる設定の自由な変更又は不正な使用等、使用者による画像処理装置の不適切な使用が不可能になる。従って、安定した画像処理装置の運用が可能となる。また、不適切な使用を防止するためのパスワード又は特殊な操作を管理する必要が無くなり、画像処理装置の運用が容易となる。
【００３１】
なお、本実施の形態においては、識別情報を記憶部２２に記憶しておき、記憶部２２から読み出した識別情報を操作部２から送信する形態を示したが、画像処理装置は、その他の方法で識別情報を操作部２から本体部１へ入力する形態であってもよい。例えば、装着コネクタ２３が装着コネクタ１３に装着されたときに接続される信号線の電位を予め設定しておき、この電位を本体部１で検出することにより識別情報を操作部２から本体部１へ入力する形態であってもよい。
【００３２】
また、本実施の形態においては、操作部２が本体部１に装着される形態を示したが、画像処理装置は、その他の方法で操作部２が本体部１に接続される形態であってもよい。例えば、操作部２はケーブルを介して本体部１に接続される形態であってもよい。また例えば、本体部１及び操作部２は無線通信の機能を備え、無線通信により一対一接続することにより、操作部２が択一的に本体部１に接続される形態であってもよい。
【００３３】
また、本実施の形態においては、本体部１で実行できる処理を操作部２の種類に関連付けた形態を示したが、画像処理装置は、本体部１で実行できる処理を個々の操作部２に関連づけた形態であってもよい。この形態では、記憶部２２は、各操作部２に固有の識別情報を記憶している。記憶部１２で記憶する管理テーブルでは、本体部１で実行できる処理に、識別情報で識別される個々の操作部２が関連付けられている。この形態においても、特定の処理の内容を一般ユーザ用の操作部２には関連付けないようにしておくことにより、安定した画像処理装置の運用が可能となる。
【００３４】
（実施の形態２）
図７は、実施の形態２に係る画像処理装置を示す模式図である。本体部１と複数の操作部３とは、無線通信でデータの送受信を行うことが可能である。一般ユーザ用、管理者用、サービスマン用及び開発者用等の複数種類の操作部３が存在している。また、同じ種類の操作部３が複数個存在していてもよい。複数種類の操作部３の夫々は、使用者が互いに異なる。本体部１は、複数の操作部３との間で並列的にデータの送受信を行うことができる。
【００３５】
図８は、実施の形態２に係る画像処理装置の内部の機能構成を示すブロック図である。本体部１の制御部１１には、操作部３との間でデータの送受信を行う送受信部（送受信手段）１８が接続されている。記憶部１２は、操作部３の種類に応じた操作用の画像を表示部３４に表示させるために必要な画像情報を記憶している。画像情報は、画像処理の開始指示を入力する操作等、操作部３の種類に応じて本体部１で実行可能な処理に対応する操作を行うために必要なメニュー画像等の操作に関する画像の内容を規定した情報である。記憶部１２は、操作部３の複数の種類の夫々について画像情報を記憶している。本体部１内のその他の構成は実施の形態１と同様であり、対応する部分に同符号を付してその説明を省略する。操作部３は、操作部３を制御する制御部３１を備えている。制御部３１には、不揮発性のメモリからなる記憶部３２と、本体部１との間でデータの送受信を行う送受信部３３とが接続されている。また操作部３は、表示部３４と、タッチパネル又はテンキー等を用いた受付部３５を備えている。記憶部３２は、実施の形態１と同様の識別情報を記憶している。
【００３６】
図９及び図１０は、実施の形態２に係る画像処理装置が実行する処理の手順を示すフローチャートである。本体部１と操作部３との通信が接続された後、操作部３の制御部３１は、記憶部３２から識別情報を読み出して送受信部３３に本体部１へ送信させる（Ｓ２０１）。制御部３１及び送受信部３３は、本発明における入力手段に対応する。本体部１は、送受信部１８で操作部３からの識別情報を受信し（Ｓ２０２）、制御部１１は、記憶部１２で記憶している識別テーブルを参照し、受信した識別情報が識別テーブルに記録されているか否かを判定する（Ｓ２０３）。受信した識別情報が識別テーブルに記録されていない場合は（Ｓ２０３：ＮＯ）、制御部１１は、エラーのメッセージを表示部３４に表示させるためのエラー用のデータを送受信部１８に操作部３へ送信させる（Ｓ２０４）。エラー用のデータは記憶部１２に予め記憶されている。操作部３は、エラー用のデータを送受信部３３で受信する（Ｓ２０５）。制御部３１は、エラー用のデータに基づいて、画像処理装置が各種の処理を実行できないことを示すエラーのメッセージを表示部３４に表示させ（Ｓ２０６）、処理を終了する。なお、操作部３は記憶部３２にエラー用のデータを予め記憶しておき、本体部１は、ステップＳ２０４でエラーのメッセージの表示指示を送信し、操作部３は指示に従ってエラーのメッセージを表示してもよい。
【００３７】
ステップＳ２０３で、受信した識別情報が識別テーブルに記録されている場合は（Ｓ２０３：ＹＥＳ）、制御部１１は、識別テーブルに記録された識別情報に関連付けられた操作部３の種類を特定する。制御部１１は、次に、操作部３の種類に応じた画像情報を記憶部１２から読み出し、読み出した画像情報を送受信部１８に操作部３へ送信させる（Ｓ２０７）。操作部３は、画像情報を送受信部３３で受信し（Ｓ２０８）、受信した画像情報に基づいて、使用者が操作を行うために必要なメニュー画像等の操作に関する画像を表示部３４に表示させる（Ｓ２０９）。ステップＳ２０９では、表示部３４は、管理テーブルで操作部３の種類に関連付けられた処理に対応する操作に関する画像を表示する。表示した画像には、管理テーブルで操作部３の種類に関連付けられていない処理に対応する操作に関する内容は含まれていない。
【００３８】
制御部３１は、次に、表示部３４に表示した画像を視認しながら使用者が行う操作の受付を待ち受ける（Ｓ２１０）。使用者からの操作がない場合は（Ｓ２１０：ＮＯ）、制御部３１は、操作の待ち受けを続行する。使用者からの操作を受付部３５で受け付けた場合は（Ｓ２１０：ＹＥＳ）、制御部３１は、受け付けた操作を示す操作情報を送受信部３３に本体部１へ送信させる（Ｓ２１１）。本体部１は、操作情報を送受信部１８で受信する（Ｓ２１２）。制御部１１は、次に、記憶部１２で記憶している管理テーブルを参照し、受信した操作情報が示す操作が対応する処理は、管理テーブルで操作部３の種類に関連付けられた処理であるか否かを判定する（Ｓ２１３）。操作が対応する処理が管理テーブルで操作部３の種類に関連付けられた処理である場合は（Ｓ２１３：ＹＥＳ）、制御部１１は、操作部３で受け付けた操作に応じた処理を実行する（Ｓ２１４）。ステップＳ２１４では、本体部１は、画像処理等の処理を実行する。ステップＳ２１４が終了した後、制御部１１は、処理を終了する。
【００３９】
ステップＳ２１３で、操作が対応する処理が管理テーブルで操作部３の種類に関連付けられた処理ではない場合は（Ｓ２１３：ＮＯ）、制御部１１は、操作部３で受け付けた操作に応じた処理を実行せず（Ｓ２１５）、処理を終了する。画像処理装置は、ステップＳ２０１〜Ｓ２１５の処理を随時実行する。なお、画像処理装置は、ステップＳ２０１〜Ｓ２０８の処理を通信の接続時に行い、接続が継続している間はステップＳ２０１〜Ｓ２０８の処理を省略してもよい。
【００４０】
以上詳述した如く、本実施の形態の画像処理装置では、本体部１と複数の操作部３とが並列的に通信可能である。画像処理装置は、本体部１と通信する操作部３が受け付けた操作が対応する処理の内、操作部３の種類に予め関連付けられている処理を実行し、操作部３の種類に関連付けられていない処理を実行しない。本体部１は、操作部３の種類に応じた画像情報を送信し、操作部３は表示部３４に画像情報に基づいた画像を表示する。表示部３４には、操作部３の種類に関連付けられた処理に対応する操作のための画像が表示され、操作部３の種類に関連付けられていない処理に関する操作のための画像は表示されない。このため、操作部３は、操作部３の種類に関連付けられていない処理に対応する操作を受け付けることが困難となる。
【００４１】
本実施の形態においても、管理者は、管理者用の操作部３を使用することで、ネットワーク設定等の管理者用の処理を画像処理装置に実行させることができる。一方、一般ユーザは、一般ユーザ用の操作部３を使用するので、ネットワーク設定等の管理者用の処理を画像処理装置に実行させることはできない。同様に、サービスマン又は開発者はサービスマン用又は開発者用の操作部３を使用してサービスマン用又は開発者用の処理を画像処理装置に実行させ、一般ユーザはサービスマン用又は開発者用の処理を画像処理装置に実行させることはできない。実施の形態１と同様に、一般ユーザによる設定の自由な変更又は不正な使用等、使用者による画像処理装置の不適切な使用が不可能になる。従って、安定した画像処理装置の運用が可能となる。また、不適切な使用を防止するためのパスワード又は特殊な操作を管理する必要が無くなる。
【００４２】
なお、本実施の形態においては、本体部１と複数の操作部３とが無線通信を行う形態を示したが、画像処理装置は、本体部１と複数の操作部３とが有線で接続され、有線通信を行う形態であってもよい。また、画像処理装置は、操作部３が表示部３４を備えていない形態であってもよい。この形態の場合は、ステップＳ２０７〜Ｓ２０９の処理は省略される。また、画像処理装置は、本体部１で実行できる処理を個々の操作部３に関連づけた形態であってもよい。
【符号の説明】
【００４３】
１  本体部
１１  制御部
１２  記憶部
１３  装着コネクタ
１８  送受信部
２、３  操作部
２１、３１  制御部
２２、３２  記憶部
２３  装着コネクタ
２４、３４  表示部
２５、３５  受付部
３３  送受信部
【図１】
2013070276.tif 000003
【図２】
2013070276.tif 000004
【図３】
2013070276.tif 000005
【図４】
2013070276.tif 000006
【図５】
2013070276.tif 000007
【図６】
2013070276.tif 000008
【図７】
2013070276.tif 000009
【図８】
2013070276.tif 000010
【図９】
2013070276.tif 000011
【図１０】
2013070276.tif 000012